(57)【要約】【課題】複数のＬＥＤ光源のオン／オフ状態をスイッチ素子でそれぞれ制御する場合でも、動作が不安定になることを防ぎ、かつ、所望の色彩を表現することが可能なスイッチ素子制御回路を提供する。【解決手段】複数のスイッチ素子ＳＷ１，ＳＷ２を制御するスイッチ素子制御回路であって、複数のスイッチ素子ＳＷ１，ＳＷ２のうちの一のスイッチ素子がターンオフしたときに、少なくともターンオフ以後の所定期間内においては、複数のスイッチ素子ＳＷ１，ＳＷ２のうちの他のスイッチ素子がターンオフしないように複数のスイッチ素子ＳＷ１，ＳＷ２のオン／オフ動作を制御するスイッチ素子制御部１０を備えることを特徴とするスイッチ素子制御回路１００。【選択図】図１
2019106327.tif 000002
【特許請求の範囲】
【請求項１】
複数のスイッチ素子を制御するスイッチ素子制御回路であって、
前記複数のスイッチ素子のうちの一のスイッチ素子がターンオフをしたときに、少なくとも前記ターンオフ以後の所定期間内においては、前記複数のスイッチ素子のうちの他のスイッチ素子がターンオフしないように前記複数のスイッチ素子のオン／オフ動作を制御するスイッチ素子制御部を備えることを特徴とするスイッチ素子制御回路。
【請求項２】
前記スイッチ素子それぞれのターンオフタイミングを検出するターンオフタイミング検出部をさらに備えることを特徴とする請求項１に記載のスイッチ素子制御回路。
【請求項３】
前記ターンオフタイミング検出部は、前記複数のスイッチ素子のうちの一のスイッチ素子がターンオフすることを検出した場合に、ターンオフ検出情報信号を生成し、
前記ターンオフ検出情報信号に基づいて、前記複数のスイッチ素子のうちの他のスイッチ素子がターンオフすることを所定期間禁じるターンオフ禁止信号を生成するターンオフ禁止信号生成部をさらに備えることを特徴とする請求項２に記載のスイッチ素子制御回路。
【請求項４】
前記スイッチ素子制御部は、前記一のスイッチ素子のターンオフ以前の所定期間内においても、前記複数のスイッチ素子のうちの他のスイッチ素子がターンオフしないように前記複数のスイッチ素子のオン／オフ動作を制御することを特徴とする請求項１〜３のいずれかに記載のスイッチ素子制御回路。
【請求項５】
前記ターンオフタイミング検出部は、前記複数のスイッチ素子のうちの一のスイッチ素子がターンオフすることを検出した場合に、ターンオフ検出情報信号を生成し、
前記ターンオフ検出情報信号に基づいて、当該一のスイッチ素子が次回以降にターンオフする時点を含む所定の期間、前記複数のスイッチ素子のうちの他のスイッチ素子がターンオフすることを禁じるターンオフ禁止信号を生成するターンオフ禁止信号生成部をさらに備えることを特徴とする請求項４に記載のスイッチ素子制御回路。
【請求項６】
前記複数のスイッチ素子が同時にターンオフしようとした場合に、ターンオフする前記スイッチ素子の順番を決定するターンオフ順決定部をさらに備えることを特徴とする請求項１〜５のいずれかに記載のスイッチ素子制御回路。
【請求項７】
前記スイッチ素子をターンオンするタイミングを検出するターンオンタイミング検出部をさらに備え、
前記ターンオフタイミング検出部は、前記スイッチ素子をターンオフするタイミングに関する外部からの信号に基づいて前記スイッチ素子をターンオフするタイミングを検出することを特徴とする請求項１〜６のいずれかに記載のスイッチ素子制御回路。
【請求項８】
複数の負荷のそれぞれに対応して設けられたスイッチ素子と、
前記スイッチ素子のオン／オフ動作を制御することによって、前記スイッチ素子に対応する前記負荷を流れる電流を制御する請求項１〜７のいずれかに記載のスイッチ素子制御回路とを備えることを特徴とするスイッチング電源装置。
【請求項９】
複数のＬＥＤ光源と、
前記複数のＬＥＤ光源のそれぞれに対応して設けられたスイッチ素子と、
前記スイッチ素子のオン／オフ動作を制御することによって、前記スイッチ素子に対応する前記ＬＥＤ光源を流れるＬＥＤ電流を制御する請求項１〜７のいずれかに記載のスイッチ素子制御回路とを備えることを特徴とするＬＥＤ照明装置。
【請求項１０】
前記ＬＥＤ照明装置は、照射対象が植物である植物プラント用のＬＥＤ照明装置であり、
前記スイッチ素子制御回路は、前記植物の種類及び育成条件に対応した条件となるように前記複数のＬＥＤ光源のそれぞれに流れる前記ＬＥＤ電流を制御する請求項９に記載のＬＥＤ照明装置。
【請求項１１】
前記ＬＥＤ照明装置は、照射対象が植物である植物プラント用のＬＥＤ照明装置であり、
前記スイッチ素子制御回路は、前記ＬＥＤ電流の時間推移に関する情報を記憶する記憶部をさらに備え、前記植物の種類及び育成条件に対応した条件となるように、前記ＬＥＤ電流の時間推移に関する情報に基づいて前記複数のＬＥＤ光源のそれぞれに流れる前記ＬＥＤ電流を制御する請求項９に記載のＬＥＤ照明装置。
【発明の詳細な説明】
【技術分野】
【０００１】
本発明は、スイッチ素子制御回路、スイッチング電源装置及びＬＥＤ照明装置に関する。
【背景技術】
【０００２】
従来、発光ダイオード（以下、「ＬＥＤ」という。）の高照度化、量産による低コスト化等に伴い、ＬＥＤが一般照明に用いられるようになっており、複数のＬＥＤを有するＬＥＤ光源を備えるＬＥＤ照明装置が提案されている（従来のＬＥＤ照明装置、例えば、特許文献１参照。）。
【０００３】
図５は、従来のＬＥＤ照明装置８を示す回路図である。
従来のＬＥＤ照明装置８は、複数のＬＥＤを有するＬＥＤ光源３００と、スイッチ素子ＳＷと、当該スイッチ素子ＳＷのオン／オフ動作を制御するスイッチ素子制御回路９００とを備える（図５参照。）。従来のＬＥＤ照明装置８においては、外部の調光器によってスイッチ素子ＳＷのターンオフタイミングを制御する。
【先行技術文献】
【特許文献】
【０００４】
【特許文献１】特開２００５−１１７３９号公報
【発明の概要】
【発明が解決しようとする課題】
【０００５】
図６は、背景技術に係るＬＥＤ照明装置９を示す回路図である。
図７は、背景技術における第１スイッチ素子ＳＷ１の第１オン／オフタイミング信号、ゲート・ソース間電圧Ｖｇｓ−１、ドレイン電流Ｉｄ−１及びドレイン・ソース間電圧Ｖｄｓ−１、第２スイッチ素子ＳＷ２の第２オン／オフタイミング信号、並びに、ゲート・ソース間電圧Ｖｇｓ−２及びドレイン電流Ｉｄ−２を示す模式的なグラフである。図７（ａ）は第１スイッチ素子ＳＷ１の第１オン／オフタイミング信号を示し、図７（ｂ）は第１スイッチ素子ＳＷ１のゲート・ソース間電圧Ｖｇｓ−１を示し、図７（ｃ）は第１スイッチ素子ＳＷ１のドレイン電流Ｉｄ−１を示し、図７（ｄ）は第１スイッチ素子ＳＷ１のドレイン・ソース間電圧Ｖｄｓ−１を示し、図７（ｅ）は第２スイッチ素子ＳＷ２の第２オン／オフタイミング信号を示し、図７（ｆ）は第２スイッチ素子ＳＷ２のゲート・ソース間電圧Ｖｇｓ−２を示し、図７（ｇ）は第２スイッチ素子ＳＷ２のドレイン電流Ｉｄ−２を示す。
【０００６】
ところで、近年、複数のＬＥＤ光源からそれぞれ淡い光を発光させ、それらの複数の淡い光を組み合わせて所望の色調(例えば、桜色などの淡い色調)を表現することができるＬＥＤ照明装置が求められている。このようなＬＥＤ照明装置としては、複数のＬＥＤ光源３００，３０２と、複数のＬＥＤ光源３００，３０２のそれぞれに対応して設けられたスイッチ素子ＳＷ１，ＳＷ２と、スイッチ素子ＳＷ１，ＳＷ２それぞれに対応して設けられたスイッチ素子制御部９００ａ、９００ｂとを備えるＬＥＤ照明装置であって、各スイッチ素子制御部９００ａ、９００ｂは、各スイッチ素子ＳＷ１，ＳＷ２のオン／オフ動作を制御するスイッチ素子制御部（第１スイッチ素子制御部９１０、第２スイッチ素子制御部９１２）を有し、外部の調光部２００によって決定された電流量に基づいて各スイッチ素子ＳＷ１，ＳＷ２のターンオフタイミングを制御するＬＥＤ照明装置（背景技術に係るＬＥＤ照明装置９、図６参照。）が考えられる。
【０００７】
背景技術に係るＬＥＤ照明装置９において、第１スイッチ素子制御部９００ａは、図６に示すように、スイッチ素子ＳＷ１をターンオンするタイミングを検出する第１ターンオンタイミング検出部９５０と、外部の調光部２００からの信号（第１電流値決定信号）Ｓ３に基づいてスイッチ素子ＳＷ１をターンオフするタイミングを検出する第１ターンオフタイミング検出部９２０とをさらに有する。第２スイッチ素子制御部９００ｂは、スイッチ素子ＳＷ２をターンオンするタイミングを検出する第２ターンオンタイミング検出部９５２と、外部の調光部２００からの信号（第２電流値決定信号）Ｓ４に基づいてスイッチ素子ＳＷ２をターンオフするタイミングを検出する第２ターンオフタイミング検出部９２２とをさらに有する。
【０００８】
各スイッチ素子制御部９００ａ、９００ｂにおいては、スイッチ素子ごとに、以下のようにスイッチ素子を制御することが考えられる。ここでは、第１スイッチ素子制御部９００ａによってスイッチ素子ＳＷ１のオン／オフ動作を制御する場合を例にとって説明する。
【０００９】
（１）第１ダイオードＤ１のダイオード電流が０になったことを第１ターンオンタイミング検出部９５０で検出したとき（図７の時刻ｔ１）、第１ターンオンタイミング検出部９５０は、第１ターンオンタイミング信号Ｓ１を生成し（図６及び図７（ａ）参照。時刻ｔ２参照。）、第１スイッチ素子制御部９１０は第１ターンオンタイミング信号Ｓ１に基づいてスイッチ素子ＳＷ１をターンオンする。また、調光部２００は、ＬＥＤ光源３００を流れる電流値を決定し、第１電流値決定信号Ｓ３を第１ターンオフタイミング検出部９２０へ送る（図６参照。）。
（２）第１スイッチ素子ＳＷ１を流れる電流が第１電流値決定信号Ｓ３によって定まる電流値に達したことを検出したとき（図７の時刻ｔ４）に、第１ターンオフタイミング検出部９２０は、第１ターンオフ検出情報信号（第１ターンオフタイミング信号Ｓ５）を生成し（図６及び図７（ａ）参照。）、第１スイッチ素子制御部９１０へ送信する。
（３）第１スイッチ素子制御部９１０は、第１ターンオフタイミング信号Ｓ５に基づいて第１スイッチ素子ＳＷ１をターンオフする（図７の時刻ｔ４参照。）。
（４）これを繰り返す（図７の時刻ｔ６〜ｔ９、時刻ｔ１１〜ｔ１４それ以降）。
【００１０】
しかしながら、背景技術に係るＬＥＤ照明装置９においては、複数のスイッチ素子ＳＷ１，ＳＷ２のうちの一のスイッチ素子ＳＷ１をターンオフしたとき（例えば、図７の時刻ｔ４）に発生するサージによるノイズ（図７（ｄ）の破線で囲まれた領域Ａ参照。）が、複数のスイッチ素子のうちの他のスイッチ素子ＳＷ２を制御する第２ターンオフ検出情報信号（第２ターンオフタイミング信号Ｓ６）に重畳してしまい（図７（ｅ）参照。）、当該他のスイッチ素子のターンオフタイミングがずれてしまう場合がある（本来時刻ｔ５でターンオフするはずの第２スイッチ素子ＳＷ２が意図しない時刻ｔ４でターンオフしてしまう。図７（ｆ）及び図７（ｇ）参照。）。このような場合にはＬＥＤ光源の動作が不安定になったり所望の色彩を表現することができなかったりする場合があるという問題があった。なお、上記した問題は、ＬＥＤ照明装置以外の照明装置においても発生しうる問題である。また、上記した動作が不安定になる問題は、照明装置以外の装置に用いるスイッチ素子制御回路によって、複数のスイッチ素子のオン／オフ動作を制御する場合においても発生しうる問題である。さらにまた、上記した動作が不安定になる問題は、ＬＥＤ以外の負荷に用いるスイッチ電源装置においても発生しうる問題である。
【００１１】
そこで、本発明は、上記した問題を解決するためになされたものであり、複数のスイッチ素子それぞれに対応して設けられたスイッチ素子制御部によって、各スイッチ素子のオン／オフ動作を制御する場合であっても、動作が不安定になることを防ぎ、かつ、ＬＥＤ照明装置に用いた場合でも所望の色彩を表現することが可能なスイッチ素子制御回路を提供することを目的とする。また、そのようなスイッチ素子制御回路を用いたスイッチング電源装置を提供することを目的とする。さらにまた、そのようなスイッチ素子制御回路を用いたＬＥＤ照明装置を提供することを目的とする。
【課題を解決するための手段】
【００１２】
［１］本発明のスイッチ素子制御回路は、複数のスイッチ素子を制御するスイッチ素子制御回路であって、前記複数のスイッチ素子のうちの一のスイッチ素子がターンオフしたときに、少なくとも前記ターンオフ以後の所定期間内においては、前記複数のスイッチ素子のうちの他のスイッチ素子がターンオフしないように前記複数のスイッチ素子のオン／オフ動作を制御するスイッチ素子制御部を備えることを特徴とする。
ことを特徴とする。
【００１３】
［２］本発明のスイッチ素子制御回路においては、前記スイッチ素子それぞれのターンオフタイミングを検出するターンオフタイミング検出部をさらに備えることが好ましい。
【００１４】
［３］本発明のスイッチ素子制御回路においては、前記ターンオフタイミング検出部は、前記複数のスイッチ素子のうちの一のスイッチ素子がターンオフすることを検出した場合に、ターンオフ検出情報信号を生成し、前記ターンオフ検出情報信号に基づいて、前記複数のスイッチ素子のうちの他のスイッチ素子がターンオフすることを所定期間禁じるターンオフ禁止信号を生成するターンオフ禁止信号生成部をさらに備えることが好ましい。
【００１５】
［４］本発明のスイッチ素子制御回路においては、前記スイッチ素子制御部は、前記一のスイッチ素子のターンオフ以前の所定期間内においても、前記複数のスイッチ素子のうちの他のスイッチ素子がターンオフしないように前記複数のスイッチ素子のオン／オフ動作を制御することが好ましい。
【００１６】
［５］本発明のスイッチ素子制御回路においては、前記ターンオフタイミング検出部は、前記複数のスイッチ素子のうちの一のスイッチ素子がターンオフすることを検出した場合に、ターンオフ検出情報信号を生成し、前記ターンオフ検出情報信号に基づいて、当該一のスイッチ素子が次回以降にターンオフする時点を含む所定の期間、前記複数のスイッチ素子のうちの他のスイッチ素子がターンオフすることを禁じるターンオフ禁止信号を生成するターンオフ禁止信号生成部をさらに備えることが好ましい。
【００１７】
［６］本発明のスイッチ素子制御回路においては、前記複数のスイッチ素子が同時にターンオフしようとした場合に、ターンオフする前記スイッチ素子の順番を決定するターンオフ順決定部をさらに備えることが好ましい。
【００１８】
［７］本発明のスイッチ素子制御回路においては、前記スイッチ素子をターンオンするタイミングを検出するターンオンタイミング検出部をさらに備え、前記ターンオフタイミング検出部は、前記スイッチ素子をターンオフするタイミングに関する外部からの信号に基づいて前記スイッチ素子をターンオフするタイミングを検出することが好ましい。
【００１９】
［８］本発明のスイッチング電源装置は、複数の負荷のそれぞれに対応して設けられたスイッチ素子と、前記スイッチ素子のオン／オフ動作を制御することによって、前記スイッチ素子に対応する前記負荷を流れる電流を制御する［１］〜［７］のいずれかに記載のスイッチ素子制御回路とを備えることを特徴とする。
【００２０】
［９］本発明のＬＥＤ照明装置は、複数のＬＥＤ光源と、前記複数のＬＥＤ光源のそれぞれに対応して設けられたスイッチ素子と、前記スイッチ素子のオン／オフ動作を制御することによって、前記スイッチ素子に対応する前記ＬＥＤ光源を流れるＬＥＤ電流を制御する［１］〜［７］のいずれかに記載のスイッチ素子制御回路とを備えることを特徴とする。
【００２１】
［１０］本発明のＬＥＤ照明装置においては、前記ＬＥＤ照明装置は、照射対象が植物である植物プラント用のＬＥＤ照明装置であり、前記スイッチ素子制御回路は、前記植物の種類及び育成条件に対応した条件となるように前記複数のＬＥＤ光源のそれぞれに流れる前記ＬＥＤ電流を制御することが好ましい。
【００２２】
［１１］本発明のＬＥＤ照明装置においては、前記ＬＥＤ照明装置は、照射対象が植物である植物プラント用のＬＥＤ照明装置であり、前記スイッチ素子制御回路は、前記ＬＥＤ電流の時間推移に関する情報を記憶する記憶部をさらに備え、前記植物の種類及び育成条件に対応した条件となるように、前記ＬＥＤ電流の時間推移に関する情報に基づいて前記複数のＬＥＤ光源のそれぞれに流れる前記ＬＥＤ電流を制御することが好ましい。
【発明の効果】
【００２３】
本発明のスイッチ素子制御回路、スイッチング電源装置及びＬＥＤ照明装置によれば、複数のスイッチ素子のうちの一のスイッチ素子がターンオフしたときに、少なくともターンオフ後の所定期間内においては、複数のスイッチ素子のうちの他のスイッチ素子がターンオフしないように複数のスイッチ素子のオン／オフ動作を制御するスイッチ素子制御部を備えるため、複数のスイッチ素子のうちの一のスイッチ素子をターンオフしたときに発生するサージによるノイズが、複数のスイッチ素子のうちの他のスイッチ素子を制御するターンオフ検出情報信号に重畳した場合であっても、当該他のスイッチ素子のターンオフタイミングがずれることを防ぐことができる。その結果、スイッチ素子制御回路によって、複数のスイッチ素子それぞれのオン／オフ動作を制御する場合であっても、ターンオフされたスイッチ素子のノイズによって動作が不安定になることを防ぐことができる。
【００２４】
また、本発明のスイッチ素子制御回路、スイッチング電源装置及びＬＥＤ照明装置によれば、上記した構成を備えるため、複数のスイッチ素子のうちの一のスイッチ素子をターンオフしたときに発生するサージによるノイズが、複数のスイッチ素子のうちの他のスイッチ素子を制御するターンオフ検出情報信号に重畳した場合であっても、ターンオフタイミングのズレをコントロールし（ターンオフタイミングのズレが光に影響しない程度にコントロールし）、意図しないターンオフを防ぐことができる。従って、本発明のスイッチ素子制御回路（スイッチング電源装置）をＬＥＤ照明装置に用いた場合でも、複数のＬＥＤ光源のそれぞれに流れる微小電流を精密に制御することができるため、各ＬＥＤ光源から発する光量を精度よく制御することができる。従って、複数のＬＥＤ光源それぞれから発する精密に制御された光を組み合わせて、所望の色彩を表現することができる。
【図面の簡単な説明】
【００２５】
【図１】実施形態１に係るＬＥＤ照明装置１、スイッチング電源装置４００及びスイッチ素子制御回路１００の回路図である。
【図２】実施形態１における第１スイッチ素子ＳＷ１の第１オン／オフタイミング信号、ゲート・ソース間電圧Ｖｇｓ−１、ドレイン電流Ｉｄ−１及びドレイン・ソース間電圧Ｖｄｓ−１、第２スイッチ素子ＳＷ２の第２オン／オフタイミング信号、ゲート・ソース間電圧Ｖｇｓ−２及びドレイン電流Ｉｄ−２、並びに、ターンオフ禁止信号を示す模式的なグラフである。
【図３】ターンオフ順決定部６０について説明するために示す図である。
【図４】実施形態２における第１スイッチ素子ＳＷ１の第１オン／オフタイミング信号、ゲート・ソース間電圧Ｖｇｓ−１、ドレイン電流Ｉｄ−１及びドレイン・ソース間電圧Ｖｄｓ−１、第２スイッチ素子ＳＷ２の第２オン／オフタイミング信号、ゲート・ソース間電圧Ｖｇｓ−２及びドレイン電流Ｉｄ−２、並びに、ターンオフ禁止信号を示す模式的なグラフである。
【図５】従来のＬＥＤ照明装置８を示す回路図である。
【図６】背景技術に係るＬＥＤ照明装置９を示す回路図である。
【図７】背景技術における第１スイッチ素子ＳＷ１の第１オン／オフタイミング信号、ゲート・ソース間電圧Ｖｇｓ−１、ドレイン電流Ｉｄ−１及びドレイン・ソース間電圧Ｖｄｓ−１、第２スイッチ素子ＳＷ２の第２オン／オフタイミング信号、並びに、ゲート・ソース間電圧Ｖｇｓ−２及びドレイン電流Ｉｄ−２を示す模式的なグラフである。
【発明を実施するための形態】
【００２６】
以下、本発明のスイッチ素子制御回路、スイッチング電源装置４００及びＬＥＤ照明装置について、図に示す実施形態に基づいて説明する。以下に説明する各実施形態は、特許請求の範囲に係る発明を限定するものではない。また、各実施形態の中で説明されている諸要素及びその組み合わせの全てが本発明の解決手段に必須であるとは限らない。各実施形態においては、基本的な構成及び特徴が同じ構成要素については、同じ符号を使用し、説明を省略することがある。
【００２７】
［実施形態１］
１．実施形態１に係るＬＥＤ照明装置１、スイッチング電源装置４００及びスイッチ素子制御回路１００の構成
図１は、実施形態１に係るＬＥＤ照明装置１、スイッチング電源装置４００及びスイッチ素子制御回路１００の回路図である。
実施形態１に係るＬＥＤ照明装置１は、照射対象が植物である植物プラント用のＬＥＤ照明装置である。実施形態１に係るＬＥＤ照明装置１は、図１に示すように、複数（２つ）のＬＥＤ光源３００，３０２と、ＬＥＤ光源３００に対応して設けられた第１スイッチ素子ＳＷ１と、ＬＥＤ光源３０２に対応して設けられた第２スイッチ素子ＳＷ２と、各スイッチ素子ＳＷ１，ＳＷ２のオン／オフ動作を制御することによって、各スイッチ素子ＳＷ１，ＳＷ２に対応するＬＥＤ光源３００，３０２を流れるＬＥＤ電流を制御するスイッチ素子制御回路１００とを備える。なお、スイッチ素子制御回路１００と、各スイッチ素子ＳＷ１等とは同一のチップに配置されていてもよいし、別々のチップに構成されていてもよい。
なお、複数の負荷のそれぞれに対応して設けられたスイッチ素子ＳＷ１，ＳＷ２と、スイッチ素子ＳＷ１，ＳＷ２のオン／オフ動作を制御することによって、スイッチ素子ＳＷ１，ＳＷ２に対応する負荷を流れる電流を制御するスイッチ素子制御回路１００とは、負荷がＬＥＤ光源３００，３０２であるスイッチング電源装置４００を構成している。
【００２８】
実施形態１に係るＬＥＤ照明装置１においては、電流臨界型降圧チョッパ方式の回路が構成されている。すなわち、スイッチ素子ＳＷ１は、インダクタＬ１及びコンデンサＣ１と直列に接続されており、かつ、インダクタＬ１及びコンデンサＣ１と並列に第１ダイオードＤ１が接続されており、かつ、コンデンサＣ１と並列にＬＥＤ光源３００が接続されている。また、スイッチ素子ＳＷ２は、インダクタＬ２及びコンデンサＣ２と直列に接続されており、かつ、インダクタＬ２及びコンデンサＣ２と並列に第２ダイオードＤ２が接続されており、かつ、コンデンサＣ２と並列にＬＥＤ光源３０２が接続されている。
【００２９】
なお、実施形態１に係るＬＥＤ照明装置１においては、電流臨界型降圧チョッパ方式の回路が構成されており、ダイオード（例えば、第１ダイオードＤ１）の順方向電流Ｉｆが０になって（図２の時刻ｔ１のタイミング）からスイッチ素子（第１スイッチ素子ＳＷ１）がターンオンする（図２の時刻ｔ２のタイミング）ため、ダイオード（第１ダイオードＤ１）のリカバリ電流がほとんどなく、ＰＷＭ型回路に比べて低損失・低ノイズの回路となる。
【００３０】
実施形態１に係るＬＥＤ照明装置１は、ＬＥＤ電流の時間推移に関する情報を記憶する記憶部２１０をさらに備え、植物の種類及び育成条件に対応した条件となるように、ＬＥＤ電流の時間推移に関する情報に基づいて複数のＬＥＤ光源３００，３０２のそれぞれに流れるＬＥＤ電流を制御する。この様な構成とすることにより、複数の光を調光・調色して植物種の育成に最適な光を作り出すことができる。
【００３１】
第１スイッチ素子ＳＷ１は、ＬＥＤ光源３００に対応して設けられており、第２スイッチ素子ＳＷ２は、ＬＥＤ光源３０２に対応して設けられている。第１スイッチ素子ＳＷ１及び第２スイッチ素子ＳＷ２は、適宜のスイッチ素子（例えば、ＭＯＳＦＥＴ，ＩＧＢＴ等）を用いることができる。また、第１スイッチ素子ＳＷ１及び第２スイッチ素子ＳＷ２は、適宜の材料（例えば、ＧａＮ、ＳｉＣやＧａ２Ｏ３等のワイドギャップ半導体を含む材料や、シリコンを含む材料）により形成されたものである。
【００３２】
実施形態１に係るスイッチ素子制御回路１００は、複数（２つ）のスイッチ素子ＳＷ１，ＳＷ２を制御するスイッチ素子制御回路であって、スイッチ素子制御部１０と、第１ターンオフタイミング検出部２０と、第２ターンオフタイミング検出部２２と、ターンオフ禁止信号生成部３０と、第１ターンオンタイミング検出部５０と、第２ターンオンタイミング検出部５２と、ターンオフ順決定部６０とを備える（図１参照。）。
【００３３】
スイッチ素子制御部１０は、２つのスイッチ素子ＳＷ１，ＳＷ２のうちの一のスイッチ素子がターンオフしたときに、スイッチ素子制御部１０は、後述するターンオフ禁止信号生成部３０によって生成されたターンオフ禁止信号に基づいて、そのターンオフ以後の所定期間内においては、２つのスイッチ素子ＳＷ１，ＳＷ２のうちの他のスイッチ素子がターンオフしないように各スイッチ素子ＳＷ１，ＳＷ２のオン／オフ動作を制御する（例えば、第１スイッチ素子ＳＷ１がターンオフしたときに第２スイッチ素子ＳＷ２がターンオフしないように制御する。）。
【００３４】
なお、ターンオフを禁止する所定期間は、例えば、一のスイッチ素子のターンオフによる振動が収まるまでの期間とすることができる。スイッチ素子制御回路やスイッチ素子の条件によって、ターンオフを禁止する所定期間をスイッチ素子ごとに変えてもよいし、スイッチング電流ごとに変えてもよい。
【００３５】
第１ターンオフタイミング検出部２０は、第１スイッチ素子ＳＷ１のターンオフタイミングを検出する。具体的には、第１ターンオフタイミング検出部２０は、第１スイッチ素子ＳＷ１を流れる電流が外部（調光部２００）からの第１電流値決定信号Ｓ３によって定まる電流値に達したタイミングを、第１スイッチ素子ＳＷ１のターンオフタイミングとして検出する。このとき、第１ターンオフタイミング検出部２０は、第１スイッチ素子ＳＷ１のターンオフタイミングを伝える第１ターンオフ検出情報信号（以下、第１ターンオフタイミング信号Ｓ５という）を生成し、スイッチ素子制御部１０及びターンオフ禁止信号生成部３０へ送信する．
同様に、第２ターンオフタイミング検出部２２は、第２スイッチ素子ＳＷ２のターンオフタイミングを検出する。具体的には、第２ターンオフタイミング検出部２２は、第２スイッチ素子ＳＷ２を流れる電流が外部（調光部２００）からの第２電流値決定信号Ｓ４によって定まる電流値に達したタイミングを、スイッチ素子ＳＷ２のターンオフタイミングとして検出する。このとき、第２ターンオフタイミング検出部２２は、スイッチ素子ＳＷ２のターンオフタイミングを伝える第２ターンオフ検出情報信号（以下、第２ターンオフタイミング信号Ｓ６という）を生成し、スイッチ素子制御部１０及びターンオフ禁止信号生成部３０へ送信する。
【００３６】
ターンオフ禁止信号生成部３０は、第１スイッチ素子ＳＷ１がターンオフしたときに第１ターンオフタイミング検出部２０で生成されたターンオフタイミング信号Ｓ５に基づいて、複数のスイッチ素子ＳＷ１，ＳＷ２のうちの他のスイッチ素子（第２スイッチ素子ＳＷ２）がターンオフすることを所定期間禁じるターンオフ禁止信号Ｓ７を生成する。また、第２スイッチ素子ＳＷ２がターンオフしたときに第２ターンオフタイミング検出部２２で生成されたターンオフタイミング信号Ｓ６に基づいて、複数のスイッチ素子ＳＷ１，ＳＷ２のうちの他のスイッチ素子（第１スイッチ素子ＳＷ１）がターンオフすることを所定期間禁じるターンオフ禁止信号Ｓ８を生成する。
ターンオフ禁止信号生成部３０は、第１ターンオフタイミング検出部２０，第２ターンオフタイミング検出部２２及びスイッチ素子制御部１０と接続されている。なお、ターンオフすることを禁止する期間は、ＬＥＤ照明の特性や照射条件、スイッチ素子の特性等によって適宜調整することができる。
ターンオフ禁止信号生成部３０は、ターンオフタイミング信号Ｓ５，Ｓ６を受信してから（すなわち、ターンオフを検出してから）すぐにターンオフ禁止信号を生成する。応答性が良い場合には（応答が早い場合には）、複数のスイッチ素子が同時にターンオフする確率が小さく、また、すべてのターンオフのタイミングでターンオフ禁止期間を設定するため、サージによるノイズによる誤動作の発生を抑えることができる。
【００３７】
ターンオフ順決定部６０は、複数のスイッチ素子ＳＷ１，ＳＷ２が同時にターンオフしようとした場合に、ターンオフするスイッチ素子の順番（例えば、第１スイッチ素子ＳＷ１を優先的にターンオフする等）を決定する。ターンオフ順決定部６０は、スイッチ素子制御部１０と接続されている。
【００３８】
第１ターンオンタイミング検出部５０は、第１ダイオードＤ１のダイオード電流が０になったことを検出することにより、第１スイッチ素子ＳＷ１をターンオンするタイミングを検出する。第２ターンオンタイミング検出部５２は、第２ダイオードＤ２のダイオード電流が０になったことを検出することにより、スイッチ素子ＳＷ２をターンオンするタイミングを検出する。
【００３９】
２．実施形態１に係るＬＥＤ照明装置１及びスイッチ素子制御回路１００の動作
次に、実施形態１に係るＬＥＤ照明装置１及びスイッチ素子制御回路１００の動作について説明する。第１スイッチ素子ＳＷ１及び第２スイッチ素子ＳＷ２はそれぞれ適宜のタイミングでスイッチングするが、本発明においては、ターンオフタイミングが重ならないようにすることを目的としているため、第１スイッチ素子ＳＷ１及び第２スイッチ素子ＳＷ２がそれぞれ近いタイミングでターンオフしている場合を例にとって説明する。
【００４０】
図２は、実施形態１における第１スイッチ素子ＳＷ１の第１オン／オフタイミング信号、ゲート・ソース間電圧Ｖｇｓ−１、ドレイン電流Ｉｄ−１及びドレイン・ソース間電圧Ｖｄｓ−１、第２スイッチ素子ＳＷ２の第２オン／オフタイミング信号、ゲート・ソース間電圧Ｖｇｓ−２及びドレイン電流Ｉｄ−２、並びに、ターンオフ禁止信号を示す模式的なグラフである。図２（ａ）は第１スイッチ素子ＳＷ１の第１オン／オフタイミング信号を示し、図２（ｂ）は第１スイッチ素子ＳＷ１のゲート・ソース間電圧Ｖｇｓ−１を示し、図２（ｃ）は第１スイッチ素子ＳＷ１のドレイン電流Ｉｄ−１を示し、図２（ｄ）は第１スイッチ素子ＳＷ１のドレイン・ソース間電圧Ｖｄｓ−１を示し、図２（ｅ）は第２スイッチ素子ＳＷ２の第２オン／オフタイミング信号を示し、図２（ｆ）は第２スイッチ素子ＳＷ２のゲート・ソース間電圧Ｖｇｓ−２を示し、図２（ｇ）は第２スイッチ素子ＳＷ２のドレイン電流Ｉｄ−２を示し、図２（ｈ）はターンオフ禁止信号を示す。
なお、図２中、破線で囲まれた領域Ａはサージによるノイズを示し、図２（ｅ）の「重畳したノイズ」は、第１スイッチ素子ＳＷ１がターンオフしたときのサージによるノイズが、第２スイッチ素子ＳＷ２のオフ信号に重畳したノイズを示し、濃いグレーで示された「ＳＷ２ターンオフ禁止期間」（図２の時刻ｔ４〜ｔ５、時刻ｔ１１〜ｔ１２及び時刻ｔ１８〜ｔ１９の期間）はターンオフ禁止信号Ｓ７によって第２スイッチ素子ＳＷ２がターンオフすることを禁止している期間を示し、薄いグレーで示された「ＳＷ１ターンオフ禁止期間」（図２の時刻ｔ６〜ｔ７、時刻ｔ１３〜ｔ１４及び時刻ｔ２０〜ｔ２１の期間）はターンオフ禁止信号Ｓ８によって第１スイッチ素子ＳＷ１がターンオフすることを禁止している期間を示す。
【００４１】
（１）第１スイッチ素子ＳＷ１のターンオン検出及びターンオン（時刻ｔ１〜ｔ２）
第１ダイオードＤ１のダイオード電流が０になったことを第１ターンオンタイミング検出部５０で検出したとき（図２の時刻ｔ１）、第１ターンオンタイミング検出部５０は、第１ターンオンタイミング信号Ｓ１を生成し（図２（ａ）の１点鎖線参照。）、第１ターンオンタイミング信号Ｓ１に基づいてスイッチ素子制御部１０は第１スイッチ素子ＳＷ１をターンオンする（図２の時刻ｔ２参照。）。
【００４２】
なお、同様に、第２ダイオードＤ２のダイオード電流が０になったことを第２ターンオンタイミング検出部５２で検出したとき、第２ターンオンタイミング検出部５２は、第２ターンオンタイミング信号Ｓ２を生成し（図２（ｅ）の１点鎖線参照。）、第２ターンオンタイミング信号Ｓ２に基づいて、スイッチ素子制御部１０はスイッチ素子ＳＷ２をターンオンする（図２の時刻ｔ３参照。）。
【００４３】
調光部２００は、記憶部２１０に記憶された、植物の種類及び育成条件に対応した条件に基づいて設定されたＬＥＤ電流の時間推移に関する情報に基づいて、ＬＥＤ光源３００及びＬＥＤ光源３０２を流れる電流値を決定し、第１電流値決定信号Ｓ３を第１ターンオフタイミング検出部２０へ送るとともに、第２電流値決定信号Ｓ４を第２ターンオフタイミング検出部２２へ送る（図１参照。）。
【００４４】
（２）第１スイッチ素子ＳＷ１のターンオフ検出（図２の時刻ｔ４）
第１ターンオフタイミング検出部２０によって第１スイッチ素子ＳＷ１を流れる電流を検出し、第１スイッチ素子ＳＷ１を流れる電流が第１電流値決定信号Ｓ３によって定まる電流値に達したとき（第１スイッチ素子ＳＷ１がターンオフすることを検出したとき）に、第１ターンオフタイミング信号Ｓ５を生成し（図１及び図２（ａ）の実線参照。）、スイッチ素子制御部１０及びターンオフ禁止信号生成部３０へ送信する。
【００４５】
（３）第１スイッチ素子ＳＷ１のターンオフ禁止期間（図２の時刻ｔ４〜ｔ５）
スイッチ素子制御部１０は、第１ターンオフタイミング信号Ｓ５に基づいて第１スイッチ素子ＳＷ１をターンオフする（図２の時刻ｔ４参照。）。
また、ターンオフ禁止信号生成部３０は、第１ターンオフタイミング検出部２０からの第１ターンオフタイミング信号Ｓ５に基づいて、第１スイッチ素子ＳＷ１以外のスイッチ素子である第２スイッチ素子ＳＷ２がターンオフすることを所定期間禁じるターンオフ禁止信号Ｓ７を生成する（図１及び図２（ｈ）参照。）。スイッチ素子制御部１０は、ターンオフ禁止信号Ｓ７に基づいて、所定期間、第２スイッチ素子ＳＷ２をターンオフしない（図２の時刻ｔ４〜ｔ５参照。）。
【００４６】
第１スイッチ素子ＳＷ１をターンオフしたときに、第１スイッチ素子ＳＷ１に発生するサージによるノイズ（図２（ｄ）の破線で囲まれた領域Ａ参照。）が、第２スイッチ素子ＳＷ２を制御する第２ターンオフタイミング信号Ｓ６に重畳してしまう場合があるが、ターンオフ禁止信号生成部３０によって、第１スイッチ素子ＳＷ１がターンオフしたことによるターンオフ禁止信号Ｓ７が生成されており、所定期間（図２の時刻ｔ４〜ｔ５）、スイッチ素子制御部１０が、当該サージによるノイズによって第２スイッチ素子ＳＷ２をターンオフすることはない。
【００４７】
（４）第２スイッチ素子ＳＷ２のターンオフ検出（図２の時刻ｔ６）
次に、第２ターンオフタイミング検出部２２によって第２スイッチ素子ＳＷ２を流れる電流を検出し、第２スイッチ素子ＳＷ２を流れる電流が第２電流値決定信号Ｓ４によって定まる電流値に達したとき（第２スイッチ素子ＳＷ２がターンオフすることを検出したとき）に、第２スイッチ素子ＳＷ２をターンオフする第２ターンオフタイミング信号Ｓ６を生成し（図１及び図２（ｅ）の実線参照。）、スイッチ素子制御部１０及びターンオフ禁止信号生成部３０へ送信する。
【００４８】
（５）第２スイッチ素子ＳＷ２のターンオフ禁止期間（図２の時刻ｔ６〜ｔ７）
スイッチ素子制御部１０は、ターンオフ禁止信号Ｓ７によって第２スイッチ素子ＳＷ２のターンオフが禁止されていない場合には、第２ターンオフタイミング信号Ｓ６に基づいて第２スイッチ素子ＳＷ２をターンオフする（図２の時刻ｔ６参照。）。そして、ターンオフ禁止信号生成部３０は、第２ターンオフタイミング検出部２２からの第２ターンオフタイミング信号Ｓ６に基づいて、第２スイッチ素子ＳＷ２以外のスイッチ素子である第１スイッチ素子ＳＷ１がターンオフすることを所定期間（図２の時刻ｔ６〜ｔ７）禁じるターンオフ禁止信号Ｓ８を生成する（図２（ｈ）、時刻ｔ６参照。）。
スイッチ素子制御部１０は、ターンオフ禁止信号Ｓ７によって第２スイッチ素子ＳＷ２のターンオフが禁止されている場合には、所定期間経過後に（ターンオフ禁止信号がオフになったときに）、第２スイッチ素子ＳＷ２をターンオフする。
【００４９】
（６）第１スイッチ素子ＳＷ１及び第２スイッチ素子ＳＷ２において、上記（１）〜（５）を繰り返す（図２の時刻ｔ８〜ｔ１５のサイクル及び時刻ｔ１５以降のサイクル）。
【００５０】
図３は、ターンオフ順決定部６０について説明するために示す図である。図３（ａ）は時間に対するドレイン電流の傾きが比較的大きい場合のドレイン電流を示す図であり、図３（ｂ）は時間に対するドレイン電流の傾きが比較的小さい場合のドレイン電流を示す図であり、図３（ｃ）は時間に対するドレイン電流の傾きが等しい場合のドレイン電流を示す図である。図３（ｃ）の上図はターンオフするタイミングで電流量が大きいスイッチ素子ＳＷ１のドレイン電流を示す図であり、図３（ｃ）の下図はターンオフするタイミングで電流量が小さいスイッチ素子ＳＷ２のドレイン電流を示す図である。
【００５１】
第１スイッチ素子ＳＷ１と第２スイッチ素子ＳＷ２が同時にターンオフしようとした場合には、ターンオフ順決定部６０によってターンオフするスイッチ素子の順番を決定する。例えば、第１スイッチ素子ＳＷ１のｄｉ／ｄｔ（時間に対するドレイン電流の傾き）が比較的大きく（図３（ａ）参照。）、第２スイッチ素子ＳＷ２のｄｉ／ｄｔ（時間に対するドレイン電流の傾き）が比較的小さい（図３（ｂ）参照。）場合には、ターンオフ順決定部６０は、ｄｉ／ｄｔが大きいスイッチ素子ＳＷ１を先にターンオフする。ドレイン電流は禁止期間だけ大きくなるが、仮にｄｉ／ｄｔが小さいスイッチ素子（図３（ｂ）の第２スイッチ素子ＳＷ２）を先にターンオフすると、もう一方のｄｉ／ｄｔが大きいスイッチ素子（図３（ａ）の第１スイッチ素子ＳＷ１）のターンオフ禁止期間後のドレイン電流が大きくなってしまい（図３（ａ）参照。）、より過電流が大きくなってしまうからである。
また、第１スイッチ素子ＳＷ１と第２スイッチ素子ＳＷ２のｄｉ／ｄｔが同じ場合（図３（ｃ）参照。）には、ターンオフ順決定部６０は、電流量が小さいスイッチ（図３（ｃ）下図の場合の第２スイッチ素子ＳＷ２）をターンオフする。電流量が小さい（すなわち、ＬＥＤ電流が小さい）場合には微小光量を組み合わせて淡い光を調光している場合が多く、微小光量に対して禁止期間による過電流の影響が大きくなるからである。
【００５２】
３．実施形態１に係るＬＥＤ照明装置１、スイッチング電源装置４００及びスイッチ素子制御回路１００の効果
実施形態１に係るスイッチ素子制御回路１００、スイッチング電源装置４００及びＬＥＤ照明装置１によれば、複数（２つ）のスイッチ素子ＳＷ１，ＳＷ２のうちの一のスイッチ素子がターンオフしたときに、少なくともターンオフ後の所定期間内においては、複数のスイッチ素子ＳＷ１，ＳＷ２のうちの他のスイッチ素子がターンオフしないように複数のスイッチ素子ＳＷ１，ＳＷ２のオン／オフ動作を制御するスイッチ素子制御部１０を備えるため、複数のスイッチ素子ＳＷ１，ＳＷ２のうちの一のスイッチ素子をターンオフしたときに発生するサージによるノイズ（図２（ｄ）の破線で囲まれた領域Ａ）が、複数のスイッチ素子ＳＷ１，ＳＷ２のうちの他のスイッチ素子を制御するターンオフ検出情報信号に重畳した場合であっても（図２（ｅ）参照。）、当該他のスイッチ素子のターンオフタイミングがずれることを防ぐことができる。その結果、スイッチ素子制御回路１００によって、複数のスイッチ素子ＳＷ１，ＳＷ２それぞれのオン／オフ動作を制御する場合であっても、ターンオフされたスイッチ素子のノイズによって動作が不安定になることを防ぐことができる。
【００５３】
また、実施形態１に係るスイッチ素子制御回路１００、スイッチング電源装置４００及びＬＥＤ照明装置１によれば、上記した構成を備えるため、複数のスイッチ素子ＳＷ１，ＳＷ２のうちの一のスイッチ素子をターンオフしたときに発生するサージによるノイズ（図２（ｄ）の破線で囲まれた領域Ａ）が複数のスイッチ素子ＳＷ１，ＳＷ２のうちの他のスイッチ素子を制御するターンオフタイミング信号に重畳した場合（図２参照。）であっても（図２（ｅ）参照。）、ターンオフタイミングのズレをコントロールし（ターンオフタイミングのズレが光に影響しない程度にコントロールし）、意図しないターンオフを防ぐことができる。従って、実施形態１に係るスイッチ素子制御回路１００をＬＥＤ照明装置に用いた場合でも、複数のＬＥＤ光源３００，３０２のそれぞれに流れる微小電流を精密に制御することができるため、各ＬＥＤ光源から発する光量を精度よく制御することができる。従って、複数のＬＥＤ光源３００，３０２それぞれから発する精密に制御された光を組み合わせて、所望の色彩を表現することができる。
【００５４】
また、実施形態１に係るスイッチ素子制御回路１００によれば、スイッチ素子ＳＷ１，ＳＷ２それぞれのターンオフタイミングを検出するターンオフタイミング検出部２０，２２を備えるため、各スイッチ素子ＳＷ１，ＳＷ２のターンオフタイミングを正確に検出することができ、ターンオフしたスイッチ素子以外のスイッチ素子がターンオフしないようにターンオフ禁止信号を正確なタイミングで生成することができる。
【００５５】
また、実施形態１に係るスイッチ素子制御回路１００によれば、ターンオフタイミング検出部２０，２２は、複数のスイッチ素子ＳＷ１，ＳＷ２のうちの一のスイッチ素子がターンオフすることを検出した場合に、ターンオフタイミング信号を生成し、ターンオフタイミング信号に基づいて、複数のスイッチ素子ＳＷ１，ＳＷ２のうちの他のスイッチ素子がターンオフすることを所定期間禁じるターンオフ禁止信号を生成するターンオフ禁止信号生成部３０を備えるため、複数のスイッチ素子ＳＷ１，ＳＷ２のうちの一のスイッチ素子をターンオフしたときに発生するサージによるノイズが、複数のスイッチ素子ＳＷ１，ＳＷ２のうちの他のスイッチ素子を制御するターンオフタイミング信号に重畳した場合であっても、ターンオフタイミングのズレを的確にコントロールし（ターンオフタイミングのズレが光に影響しない程度にコントロールし）、ターンオフしていないスイッチ素子の意図しないターンオフを的確に防ぐことができる。
【００５６】
また、実施形態１に係るスイッチ素子制御回路１００によれば、複数のスイッチ素子ＳＷ１，ＳＷ２が同時にターンオフしようとした場合に、ターンオフするスイッチ素子の順番を決定するターンオフ順決定部６０を備えるため、ターンオフするタイミングが重なった場合でも順序良くスイッチ素子をターンオフさせることができる。従って、ターンオフされたスイッチ素子のノイズによって動作が不安定になることを防ぐことができる。
【００５７】
また、実施形態１に係るスイッチ素子制御回路１００によれば、ターンオフタイミング検出部２０，２２は、スイッチ素子ＳＷ１、ＳＷ２をターンオフするタイミングに関する外部からの信号に基づいてスイッチ素子ＳＷ１、ＳＷ２をターンオフするタイミングを検出するため、ＬＥＤ光源３００、３０２を流れる電流値が調光部が決定した電流値となるタイミングで正確にターンオフすることができる。
【００５８】
実施形態１に係るＬＥＤ照明装置１によれば、スイッチ素子制御回路１００が、植物の種類及び育成条件に対応した条件となるようにＬＥＤ電流の時間推移に関する情報に基づいて複数のＬＥＤ光源３００、３０２のそれぞれに流れるＬＥＤ電流を制御するため、植物の種類及び育成条件に適した光量及び色彩で植物に光を照射することができる。また、実施形態１に係るＬＥＤ照明装置１においては、ターンオフ禁止期間を設定してターンオフタイミングが揃ってしまうことを防ぐことにより他のスイッチ素子にノイズが重畳して意図しないターンオフを防ぐことができるため、植物の種類及び育成条件に対応した条件となるように複数のＬＥＤ光源３００、３０２のそれぞれに流れるＬＥＤ電流を正確に制御することができる。従って、複数のＬＥＤ光源３００，３０２のそれぞれに流れる微小電流を植物の種類及び育成条件に対応した条件となるように正確に制御することができるため、各ＬＥＤ光源から発する光量を精度よく制御することができる（例えば、ターンオフタイミングが揃ってしまうことに起因して光の揺らぎ等が発生し、植物の種類及び育成条件に対応した条件の光量と異なった光量となる現象が発生することを防ぐことができる）。従って、複数のＬＥＤ光源３００，３０２それぞれから発する正確に制御された光を組み合わせて、植物の種類及び育成条件に対応した条件となる所望の色彩を表現することができる。
【００５９】
［実施形態２］
図４は、実施形態２における第１スイッチ素子ＳＷ１の第１オン／オフタイミング信号、ゲート・ソース間電圧Ｖｇｓ−１、ドレイン電流Ｉｄ−１及びドレイン・ソース間電圧Ｖｄｓ−１、第２スイッチ素子ＳＷ２の第２オン／オフタイミング信号、ゲート・ソース間電圧Ｖｇｓ−２及びドレイン電流Ｉｄ−２、並びに、ターンオフ禁止信号を示す模式的なグラフである。図４（ａ）は第１スイッチ素子ＳＷ１の第１オン／オフタイミング信号を示し、図４（ｂ）は第１スイッチ素子ＳＷ１のゲート・ソース間電圧Ｖｇｓ−１を示し、図４（ｃ）は第１スイッチ素子ＳＷ１のドレイン電流Ｉｄ−１を示し、図４（ｄ）は第１スイッチ素子ＳＷ１のドレイン・ソース間電圧Ｖｄｓ−１を示し、図４（ｅ）は第２スイッチ素子ＳＷ２の第２オン／オフタイミング信号を示し、図４（ｆ）は第２スイッチ素子ＳＷ２のゲート・ソース間電圧Ｖｇｓ−２を示し、図４（ｇ）は第２スイッチ素子ＳＷ２のドレイン電流Ｉｄ−２を示し、図４（ｈ）はターンオフ禁止信号を示す。
なお、図４中、破線で囲まれた領域Ａはサージによるノイズを示し、図４（ｅ）の「重畳したノイズ」は、第１スイッチ素子ＳＷ１がターンオフしたときのサージによるノイズが、第２スイッチ素子ＳＷ２のオフ信号に重畳したノイズを示し、濃いグレーで示された「ＳＷ２ターンオフ禁止期間」（図４の時刻ｔ９〜ｔ１１及び時刻ｔ１８〜ｔ２０の期間）はターンオフ禁止信号Ｓ７によって第２スイッチ素子ＳＷ２がターンオフすることを禁止している期間を示し、薄いグレーで示された「ＳＷ１ターンオフ禁止期間」（図４の時刻ｔ１２〜ｔ１４、時刻ｔ２１〜ｔ２３の期間）はターンオフ禁止信号Ｓ８によって第１スイッチ素子ＳＷ１がターンオフすることを禁止している期間を示す。
【００６０】
実施形態２に係るスイッチ素子制御回路（図示せず。）は、基本的には実施形態１に係るスイッチ素子制御回路１００と同様の構成を有するが、他のスイッチ素子のターンオフを禁止する期間及びタイミングが実施形態１に係るスイッチ素子制御回路１００の場合とは異なる。実施形態２に係るスイッチ素子制御回路において、ターンオフタイミング検出部は、複数のスイッチ素子のうちの一のスイッチ素子がターンオフすることを検出した場合に、ターンオフ検出情報信号を生成しても、ターンオフ禁止信号生成部は、ターンオフ検出情報信号に基づいて、当該一のスイッチ素子が次回以降にターンオフする時点を含む所定の期間、複数のスイッチ素子のうちの他のスイッチ素子がターンオフすることを禁じるターンオフ禁止信号を生成する。
【００６１】
具体的には、第１スイッチ素子ＳＷ１をターンオフする場合を例にとると、第１ターンオフタイミング検出部２０が、第１スイッチ素子ＳＷ１がターンオフすることを検出した場合に、第１ターンオフタイミング信号Ｓ５を生成しても（図４の時刻ｔ４）、ターンオフ禁止信号生成部３０は、１サイクル目に第１スイッチ素子ＳＷ１がターンオフする時点（図４の時刻ｔ４）では第２スイッチ素子ＳＷ２のターンオフを禁止するターンオフ禁止信号Ｓ７を生成せず、第１スイッチ素子ＳＷ１が次回（２サイクル目）ターンオフする時点（図４の時刻ｔ１０）を含む所定の期間（図４の時刻ｔ９〜ｔ１１。ターンオフ以後の所定期間内（図４の時刻ｔ１０〜ｔ１１）だけでなく、ターンオフ以前の所定期間内（図４の時刻ｔ９〜ｔ１０）も含む）、第２スイッチ素子ＳＷ２がターンオフすることを禁じるターンオフ禁止信号Ｓ７を生成する。
【００６２】
実施形態２に係るスイッチ素子制御回路においては、第１スイッチ素子ＳＷ１のターンオフを検出しても、ターンオフ禁止信号生成部３０がすぐに第２スイッチ素子ＳＷ２のターンオフを禁止するターンオフ禁止信号Ｓ７を出せない場合（例えば、応答性がやや劣る（応答が遅い）場合）でも、（１サイクル目に第１スイッチ素子ＳＷ１がターンオフする時点（図４の時刻ｔ４）にターンオフ禁止信号Ｓ７を生成しないものの）２サイクル目以降（図４の時刻ｔ８〜ｔ１７）に、第１スイッチ素子ＳＷ１のターンオフタイミング（図４の時刻ｔ１０）を含む所定期間（図４の時刻ｔ９〜ｔ１１）、第２スイッチ素子ＳＷ２のターンオフを禁止するターンオフ禁止信号Ｓ７を生成する。これにより、第２スイッチ素子ＳＷ２が意図しないターンオフをしてしまうことを防いでいる。また、この場合には、第１スイッチ素子ＳＷ１の２サイクル目のターンオフタイミング（図４の時刻ｔ１０）よりも前（図４の時刻ｔ９）に第２スイッチ素子ＳＷ２のターンオフを禁止するターンオフ禁止信号Ｓ７を生成することができるため、第２スイッチ素子ＳＷ２の２サイクル目以降の第２スイッチ素子ＳＷ２の意図しないターンオフを確実に防ぐことができる。
【００６３】
実施形態２に係るＬＥＤ照明装置及びスイッチ素子制御回路は、以下のように動作する（図４参照。）。実施形態１の場合と同様に、第１スイッチ素子ＳＷ１及び第２スイッチ素子ＳＷ２がそれぞれ近いタイミングでターンオフしている場合を例にとって説明する。なお、スイッチ素子ＳＷ１、ＳＷ２のターンオン検出及びターンオンの動作については、実施形態１に係るＬＥＤ照明装置１及びスイッチ素子制御回路１００の動作と同様である。
【００６４】
（Ａ）第１スイッチ素子ＳＷ１の１回目のターンオフ検出（図４の時刻ｔ４）
第１ターンオフタイミング検出部２０によって第１スイッチ素子ＳＷ１を流れる電流を検出し、第１ターンオフタイミング検出部２０によって、第１スイッチ素子ＳＷ１を流れる電流が第１電流値決定信号Ｓ３によって定まる電流値に達したとき（第１スイッチ素子ＳＷ１がターンオフすることを検出したとき）に、第１スイッチ素子ＳＷ１をターンオフする第１ターンオフタイミング信号Ｓ５を生成し（図４の時刻ｔ４）、第１ターンオフタイミング信号Ｓ５をスイッチ素子制御部１０及びターンオフ禁止信号生成部３０へ送信する。
スイッチ素子制御部１０は、第１ターンオフタイミング信号Ｓ５に基づいて第１スイッチ素子ＳＷ１をターンオフする（図４の時刻ｔ４）。
【００６５】
ターンオフ禁止信号生成部３０は、第１ターンオフタイミング検出部２０からのターンオフタイミング信号Ｓ５を受信するが、ここではターンオフ禁止信号Ｓ７を生成しない。従って、このタイミング（図４の時刻ｔ４）では第１スイッチ素子ＳＷ１のサージによるノイズが、第２スイッチ素子ＳＷ２の第２ターンオフタイミング信号Ｓ６に重畳して、本来時刻ｔ５でターンオフするはずの第２スイッチ素子ＳＷ２が意図しない時刻ｔ４でターンオフすることがありうる。
なお、このように、調光部２００から送信された第２電流値決定信号Ｓ４の意図した（第２電流値決定信号Ｓ４から求められる）第２スイッチ素子ＳＷ２の本来のターンオフタイミング（図４の時刻ｔ５）からずれたタイミング（図４の時刻ｔ４）で第２スイッチ素子ＳＷ２がターンオフしたときは、第２スイッチ素子ＳＷ２は本来のターンオフタイミング（図４の時刻ｔ５）でターンオフしなかったとしても、次回以降の第２スイッチ素子ＳＷ２のターンオフタイミング（図４の時刻ｔ１３）を含む所定期間（図４の時刻ｔ１２〜ｔ１４）、第１スイッチ素子ＳＷ１のターンオフを禁止するターンオフ禁止信号Ｓ８を生成する。
【００６６】
なお、このタイミングで第２スイッチ素子ＳＷ２がターンオフすることによってわずかな光の揺らぎが生じることもありうるが、本発明のＬＥＤ照明装置は、パルス・バイ・パルスでＬＥＤ電流を制御しており、コンデンサＣ１，Ｃ２で平均化されることから、１度（又は数回程度）ターンオフ禁止をしなくてもＬＥＤ光源の動作への影響は小さい。なお、コンデンサＣ１やＣ２の静電容量が大きくなれば、ＬＥＤ光源への影響はより小さくなる。
【００６７】
第１スイッチ素子ＳＷ１の２回目のターンオン検出（図４の時刻ｔ６）及びターンオン（図４の時刻ｔ７）の動作、及び、第２スイッチ素子ＳＷ２の２回目のターンオン検出及びターンオン（図４の時刻ｔ８）の動作については、実施形態１に係るＬＥＤ照明装置１及びスイッチ素子制御回路１００の動作と同様である。
【００６８】
（Ｂ）第１スイッチ素子ＳＷ１の２サイクル目のターンオフ禁止期間（図４の時刻ｔ９〜ｔ１１）
ターンオフ禁止信号生成部３０は、第１スイッチ素子ＳＷ１の１サイクル目（図４の時刻ｔ２〜ｔ７）の第１スイッチ素子ＳＷ１の第１ターンオフタイミング信号Ｓ５に基づいて、第１スイッチ素子ＳＷ１が２サイクル目（図４の時刻ｔ７〜ｔ１６）にターンオフする時点（図４の時刻ｔ１０）を含む所定の期間（図４の時刻ｔ９〜ｔ１１）、第２スイッチ素子ＳＷ２がターンオフすることを禁じるターンオフ禁止信号Ｓ７を生成する（図４（ｈ）参照。）。スイッチ素子制御部１０は、ターンオフ禁止信号Ｓ７に基づいて、所定期間（図４の時刻ｔ９〜ｔ１１）、第２スイッチ素子ＳＷ２をターンオフしない。
【００６９】
時刻ｔ１０になり、第１ターンオフタイミング検出部２０によって第１スイッチ素子ＳＷ１を流れる電流を検出し、第１スイッチ素子ＳＷ１を流れる電流が第１電流値決定信号Ｓ３によって定まる電流値に達したとき（第１スイッチ素子ＳＷ１がターンオフすることを検出したとき）に、第１ターンオフタイミング検出部２０は、第１ターンオフタイミング信号Ｓ５を生成し（図４（ａ）参照。）、スイッチ素子制御部１０及びターンオフ禁止信号生成部３０へ送信する。
スイッチ素子制御部１０は、第１ターンオフタイミング信号Ｓ５に基づいて第１スイッチ素子ＳＷ１をターンオフする（図４の時刻ｔ１０）。
このとき、第１スイッチ素子ＳＷ１を２回目にターンオフしたとき（図４の時刻ｔ１０）に、第１スイッチ素子ＳＷ１に発生するサージによるノイズが、第２スイッチ素子ＳＷ２を制御する第２ターンオフタイミング信号Ｓ６に重畳してしまう場合があるが、ターンオフ禁止信号生成部３０によって、所定期間（図４の時刻ｔ９〜ｔ１１）、第２スイッチ素子ＳＷ２がターンオフすることを禁止するターンオフ禁止信号Ｓ７が生成されており、当該サージによるノイズによって第２スイッチ素子ＳＷ２がターンオフされることはない。
【００７０】
同様に、ターンオフ禁止信号生成部３０は、第２スイッチ素子ＳＷ２の１サイクル目（時刻ｔ３〜ｔ８）における本来の第２スイッチ素子ＳＷ２の第２ターンオフタイミング信号Ｓ６（図４（ｅ）の破線で示されたＳ６）に基づいて、第２スイッチ素子ＳＷ２が２サイクル目（図４の時刻ｔ８〜ｔ１７）にターンオフする時点（図４の時刻ｔ１３）を含む所定の期間（図４の時刻ｔ１２〜ｔ１４）、第１スイッチ素子ＳＷ１がターンオフすることを禁じるターンオフ禁止信号Ｓ８を生成する（図４（ｈ）参照。）。スイッチ素子制御部１０は、ターンオフ禁止信号Ｓ８に基づいて、所定期間（図４の時刻ｔ１２〜ｔ１４）、第１スイッチ素子ＳＷ１をターンオフしない。
【００７１】
このようにして、第１スイッチ素子ＳＷ１及び第２スイッチ素子ＳＷ２のオン／オフ動作が繰り返される。
【００７２】
このように、実施形態２に係るスイッチ素子制御回路は、他のスイッチ素子のターンオフを禁止する期間が実施形態１に係るスイッチ素子制御回路１００の場合とは異なるが、実施形態１に係るスイッチ素子制御回路１００の場合と同様に、複数（２つ）のスイッチ素子ＳＷ１，ＳＷ２のうちの一のスイッチ素子がターンオフしたときに、少なくともターンオフ後の所定期間内においては、複数のスイッチ素子ＳＷ１，ＳＷ２のうちの他のスイッチ素子がターンオフしないように複数のスイッチ素子ＳＷ１，ＳＷ２のオン／オフ動作を制御するスイッチ素子制御部１０を備えるため、複数のスイッチ素子ＳＷ１，ＳＷ２のうちの一のスイッチ素子をターンオフしたときに発生するサージによるノイズが、複数のスイッチ素子ＳＷ１，ＳＷ２のうちの他のスイッチ素子を制御するターンオフタイミング信号に重畳した場合であっても、当該他のスイッチ素子のターンオフタイミングがずれることを防ぐことができる。その結果、スイッチ素子制御回路１００によって、複数のスイッチ素子ＳＷ１，ＳＷ２それぞれのオン／オフ動作を制御する場合であっても、ターンオフされたスイッチ素子のノイズによって動作が不安定になることを防ぐことができる。
【００７３】
また、実施形態２に係るスイッチ素子制御回路によれば、スイッチ素子制御部１０は、一のスイッチ素子のターンオフ以前の所定の期間内においても、複数のスイッチ素子のうちの他のスイッチ素子がターンオフしないように複数のスイッチ素子ＳＷ１，ＳＷ２のオン／オフ動作を制御するため、スイッチ素子がターンオフすることを予測してターンオフ禁止信号Ｓ７、Ｓ８を生成することができる。従って、スイッチ素子がターンオフしてから他のスイッチ素子がターンオフ禁止されるまでの間（タイムラグ）に、他のスイッチ素子がターンオフしてしまうことを防ぐことができる。
【００７４】
また、実施形態２に係るスイッチ素子制御回路によれば、ターンオフタイミング信号Ｓ５，Ｓ６に基づいて、複数のスイッチ素子ＳＷ１，ＳＷ２のうちの一のスイッチ素子が次回以降にターンオフする時点を含む所定の期間、複数のスイッチ素子ＳＷ１，ＳＷ２のうちの他のスイッチ素子がターンオフすることを禁じるターンオフ禁止信号を生成するターンオフ禁止信号生成部３０を備えるため、スイッチ素子がターンオフするタイミングを予測してターンオフ禁止信号Ｓ７，Ｓ８を生成することができる。従って、第２スイッチ素子ＳＷ２の２サイクル目（時刻ｔ８〜ｔ１７）以降において、第２スイッチ素子ＳＷ２を意図しないタイミング（時刻ｔ１０）でターンオフすることを禁止し、意図したタイミング（時刻ｔ１３）でターンオフすることができる。同様に、第１スイッチ素子ＳＷ１を意図しないタイミングでターンオフすることを禁止し、意図したタイミングでターンオフすることができる。
【００７５】
なお、実施形態２に係るスイッチ素子制御回路は、他のスイッチ素子のターンオフを禁止する期間以外の点においては実施形態１に係るスイッチ素子制御回路１００と同様の構成を有するため、実施形態１に係るスイッチ素子制御回路１００が有する効果のうち該当する効果を有する。
【００７６】
以上、本発明を上記の実施形態に基づいて説明したが、本発明は上記の実施形態に限定されるものではない。その趣旨を逸脱しない範囲において種々の態様において実施することが可能であり、例えば、次のような変形も可能である。
【００７７】
（１）上記実施形態において記載した構成要素の数、等は例示であり、本発明の効果を損なわない範囲において変更することが可能である。
【００７８】
（２）上記実施形態２においては、第１スイッチ素子ＳＷ１のターンオフを検出しても１サイクル目の第１スイッチ素子ＳＷ１のターンオフする時点（図４の時刻ｔ４）には第２スイッチ素子ＳＷ２のターンオフを禁止するターンオフ禁止信号Ｓ７を生成せず（図４の時刻ｔ４参照。）、２サイクル目（２サイクル目以降）の第１スイッチ素子ＳＷ１のターンオフする時点（図４の時刻ｔ１０）を含む所定期間（図４の時刻ｔ９〜ｔ１１）において第２スイッチ素子ＳＷ２のターンオフを禁止するターンオフ禁止信号Ｓ７を生成したが、本発明はこれに限定するものではない。３サイクル目（３サイクル目以降）の第１スイッチ素子ＳＷ１のターンオフする時点（図４の時刻ｔ２０）を含む所定期間（図４の時刻ｔ１９〜ｔ２１）、またはそれ以降の第１スイッチ素子ＳＷ１のターンオフする時点を含む所定期間に、第２スイッチ素子ＳＷ２のターンオフを禁止するターンオフ禁止信号Ｓ７を生成してもよい。なお、ターンオフ禁止信号Ｓ８についてもターンオフ禁止信号Ｓ７の場合と同様に、３サイクル目以降に第２スイッチ素子ＳＷ２のターンオフする時点（図４の時刻ｔ２２）を含む所定期間（図４の時刻ｔ２１〜ｔ２３）に第１スイッチ素子ＳＷ１のターンオフを禁止するターンオフ禁止信号Ｓ８を生成してもよい。
【００７９】
（３）上記各実施形態において、スイッチ素子制御回路は、２つのスイッチ素子を制御したが、本発明はこれに限定するものではない。３つ以上のスイッチ素子を制御してもよい。この場合、複数のスイッチ素子のうちの一のスイッチ素子のターンオフによるターンオフ禁止期間内に２以上のスイッチ素子がターンオフタイミングを迎える場合があるが、この場合、ターンオフ順決定部によって決定された順で順次ターンオフしていくことができる。なお、順番待ちしていたスイッチ素子がターンオフタイミングとなった場合には、そのスイッチ素子のターンオフタイミングに伴うターンオフ禁止期間がその都度設定されることとなる。
【００８０】
（４）上記各実施形態において、ＬＥＤ照明装置は、２つのＬＥＤ光源を備えるが、本発明はこれに限定するものではない。３つ以上のＬＥＤ光源を備えてもよい。この場合、各ＬＥＤ光源に１対１で対応するスイッチ素子が設けられている。
【００８１】
（５）上記各実施形態において、ＬＥＤ照明装置においては、植物の種類及び育成条件に対応した条件となるように、ＬＥＤ電流の時間推移に関する情報に基づいて複数のＬＥＤ光源のそれぞれに流れるＬＥＤ電流を制御したが、本発明はこれに限定するものではない。植物の種類及び育成条件に対応した条件となるように、ＬＥＤ電流の時間推移に関する情報以外の情報に基づいて複数のＬＥＤ光源のそれぞれに流れるＬＥＤ電流を制御してもよい。
【００８２】
（６）上記各実施形態において、ＬＥＤ照明装置を、植物プラント用のＬＥＤ照明装置としたが、本発明はこれに限定するものではない。ＬＥＤ照明装置を、植物プラント用のＬＥＤ照明装置以外のＬＥＤ照明装置としてもよい。
【００８３】
（７）上記各実施形態において、スイッチ素子制御回路を、ＬＥＤ照明装置に用いるスイッチ素子制御回路としたが、本発明はこれに限定するものではない。スイッチ素子制御回路を、ＬＥＤ照明装置以外の装置に用いるスイッチ素子制御回路としてもよい。
また、上記各実施形態において、スイッチング電源装置を、負荷がＬＥＤ光源であるスイッチング電源装置としたが、本発明はこれに限定するものではない。スイッチング電源装置を、負荷がＬＥＤ光源以外の負荷であるスイッチング電源装置としてもよい。
【００８４】
（８）上記各実施形態においては、スイッチ素子として、ＭＯＳＦＥＴを用いたが、本発明はこれに限定するものではない。ＭＯＳＦＥＴ以外のスイッチ素子（例えば、ＩＧＢＴ）を用いてもよい。
【００８５】
（９）上記各実施形態においては、２つの降圧チョッパ回路を構成したＬＥＤ照明装置としたが、本発明はこれに限定するものではない。降圧チョッパ回路と昇圧チョッパ回路を構成してもよいし、降圧チョッパ回路とフライバック回路とを構成してもよいし、降圧チョッパ以外の回路同士を組み合わせてもよい。
【００８６】
（１０）上記各実施形態のＬＥＤ照明装置においては、非絶縁型の回路が構成されているが、本発明はこれに限定するものではない。絶縁型の回路が構成されていてもよい。
【００８７】
１，８，９…ＬＥＤ照明装置、１０，８１０，９１０，９１２…スイッチ素子制御回路、２０…第１ターンオフタイミング検出部、２２…第２ターンオフタイミング検出部、３０…ターンオフ禁止信号生成部、５０，９５０…第１ターンオンタイミング検出部、５２，９５２…第２ターンオンタイミング検出部、６０…ターンオフ順決定部、１００，９００，９００ａ、９００ｂ…スイッチ素子制御回路、２００…調光部、２１０…記憶部、３００，３０２，３００…ＬＥＤ光源、４００…スイッチング電源装置、ＳＷ，ＳＷ１，ＳＷ２…スイッチ素子、Ｃ１、Ｃ２…コンデンサ、Ｌ１、Ｌ２…インダクタ、Ｄ１、Ｄ２…ダイオード
【図１】
2019106327.tif 000003
【図２】
2019106327.tif 000004
【図３】
2019106327.tif 000005
【図４】
2019106327.tif 000006
【図５】
2019106327.tif 000007
【図６】
2019106327.tif 000008
【図７】
2019106327.tif 000009